(57)【要約】【課題】多数の原稿を連続して読み取らせる場合において、操作が煩雑になることなく、原稿それぞれに対して、ユーザーの希望する異なる処理を実行できるようにする。【解決手段】原稿の画像を読み取る原稿読取部５と、原稿に対する処理内容の基本設定をユーザーから受け付ける設定受付部１０２と、原稿読取部５の動作を制御する制御部１００と、原稿の向きを検知する原稿向き検知部１０３と、原稿向き検知部１０３により検知された原稿の向きが予め定められた基準向きと一致するか否かを判定する判定部１０４と、を備え、制御部１００は、判定部１０４により原稿の向きが基準向きと一致すると判定された場合、当該原稿に対して、基本設定に基づいて第１処理を実行し、一方、判定部１０４により原稿の向きが基準向きと一致しないと判定された場合、第１処理とは異なる予め定められた第２処理を実行する。【選択図】図１
2019009690.tif 000002
【特許請求の範囲】
【請求項１】
原稿の画像を読み取る原稿読取部と、
原稿に対する処理内容の基本設定をユーザーから受け付ける設定受付部と、
前記原稿読取部の動作を制御する制御部と、
原稿の向きを検知する原稿向き検知部と、
前記原稿向き検知部により検知された原稿の向きが予め定められた基準向きと一致するか否かを判定する判定部と、を備え、
前記制御部は、前記判定部により原稿の向きが前記基準向きと一致すると判定された場合、当該原稿に対して、前記基本設定に基づいて第１処理を実行し、
前記判定部により原稿の向きが前記基準向きと一致しないと判定された場合、前記第１処理とは異なる予め定められた第２処理を実行するものであり、
前記第１処理は、前記原稿読取部による原稿読取時の処理及び前記原稿読取部による原稿読取後の処理の両方又はいずれかである画像読取装置。
【請求項２】
前記判定部は、前記原稿向き検知部により検知された、前記原稿読取部の読取対象となる第１枚目の原稿の向きを前記基準向きとして前記判定を行う請求項１に記載の画像読取装置。
【請求項３】
前記設定受付部は、前記基本設定に加えて、前記基本設定とは異なる、原稿に対する処理内容の特別設定をユーザーから受け付け、
前記第２処理は、前記設定受付部により受け付けられた前記特別設定に基づいた処理であり、
前記制御部は、前記判定部により原稿の向きが前記基準向きと一致しないと判定された場合、当該原稿に対して、前記特別設定に基づいた前記第２処理を実行する請求項１又は請求項２に記載の画像読取装置。
【請求項４】
前記第２処理は、前記判定部により向きが前記基準向きと一致しないと判定された原稿に対する処理内容の個別設定をユーザーに促す処理であり、
前記設定受付部は、前記基本設定に加えて、前記個別設定をユーザーから受け付け、
前記制御部は、
前記判定部により原稿の向きが前記基準向きと一致しないと判定された場合、前記個別設定をユーザーに促す処理を実行し、
前記設定受付部が前記個別設定をユーザーから受け付けると、当該原稿に対して、前記個別設定に基づいた処理を実行する請求項１又は請求項２に記載の画像読取装置。
【請求項５】
前記原稿向き検知部は、異なる複数の方式で原稿の向きの検知が可能であり、前記複数の方式の中には、前記原稿読取部による原稿の読み取りで得られた画像データに基づいて原稿の向きを検知する方式が含まれ、
前記複数の方式の中から、使用する方式の選択をユーザーから受け付ける選択受付部を更に備え、
前記原稿向き検知部は、前記選択受付部により受け付けられたユーザー選択の方式で原稿の向きを検知し、
前記設定受付部は、前記選択受付部によって受け付けられた前記ユーザー選択の方式が、前記画像データに基づいて原稿の向きを検知する方式である場合、前記原稿読取部による原稿読取時の処理に関する前記特別設定又は前記個別設定を受け付けない請求項３又は請求項４に記載の画像読取装置。
【請求項６】
前記原稿向き検知部は、原稿が縦長であるか横長であるか、原稿に記載された文字の配列方向、原稿に記載された文字の向きのいずれかに基づいて、原稿の向きを検知する請求項１乃至請求項５のいずれかに記載の画像読取装置。
【発明の詳細な説明】
【技術分野】
【０００１】
本発明は、画像読取装置に関し、特に、多数の原稿を連続して読み取るための技術に関する。
【背景技術】
【０００２】
一般的な画像読取装置（例えば、スキャナー、コピー機、複合機）は、スキャンする原稿に合わせて、スキャン設定（読取設定）をユーザーが任意に変更することができる。例えば、「カラー保存」ではなく「モノクロ保存」に設定すれば、読取画像のデータ量を小さくすることができ、「解像度」を下げれば、原稿を高速で読み取らせることができる。また、「原稿向き自動判別」の機能を有効にすれば、原稿の向きを自動的に判別し、必要に応じて読取画像を回転させることができる。なお、原稿の向きを判別する技術については、例えば、下記の特許文献１に記載されている。
【先行技術文献】
【特許文献】
【０００３】
【特許文献１】特開平０６−２４３２８７号公報
【発明の概要】
【発明が解決しようとする課題】
【０００４】
画像読取装置の操作に要する時間は短いのが好ましい。特に、複数のユーザーで１台の画像読取装置が共有される場合、ユーザーひとりの操作時間はできるだけ短いのがよい。
【０００５】
ところが、多数の原稿を連続して、画像形成装置に読み取らせるときに、ユーザーの希望する処理の異なる原稿が混在していると、操作に長時間を要する。例えば、「モノクロ保存」で読み取らせたい原稿と、「カラー保存」で読み取らせたい原稿とが混在すると、ユーザーは必要に応じて、その都度、スキャン設定を変更する必要があり、操作は煩雑となり、操作時間も長くなる。
【０００６】
上記の特許文献１に記載された技術を用いれば、原稿の向きが揃うように読取データを加工することはできても、原稿それぞれに対して、ユーザーの希望する異なる処理を実行することはできない。
【０００７】
本発明は、上記の事情に鑑みなされたものであり、多数の原稿を連続して読み取らせる場合において、操作が煩雑になることなく、原稿それぞれに対して、ユーザーの希望する異なる処理を実行できるようにすることを目的とする。
【課題を解決するための手段】
【０００８】
本発明の一局面に係る画像読取装置は、原稿の画像を読み取る原稿読取部と、原稿に対する処理内容の基本設定をユーザーから受け付ける設定受付部と、前記原稿読取部の動作を制御する制御部と、原稿の向きを検知する原稿向き検知部と、前記原稿向き検知部により検知された原稿の向きが予め定められた基準向きと一致するか否かを判定する判定部と、を備え、前記制御部は、前記判定部により原稿の向きが前記基準向きと一致すると判定された場合、当該原稿に対して、前記基本設定に基づいて第１処理を実行し、一方、前記判定部により原稿の向きが前記基準向きと一致しないと判定された場合、前記第１処理とは異なる予め定められた第２処理を実行するものであり、更に、前記第１処理は、前記原稿読取部による原稿読取時の処理及び前記原稿読取部による原稿読取後の処理の両方又はいずれかである。
【発明の効果】
【０００９】
本発明によれば、原稿の向きが予め定められた基準向きと一致すると判定された場合、当該原稿に対して、基本設定に基づいて第１処理が実行され、原稿の向きが基準向きと一致しないと判定された場合、第１処理とは異なる予め定められた第２処理が実行される。例えば、基準向きが縦長の向きである場合、基本設定とは異なる処理を希望する原稿を、ユーザーは９０度回転させて横長の向きにして載置して、原稿読取部に読み取らせれば、当該横長の向きにして載置した原稿は、他の原稿について行われる第１処理とは異なる第２処理を実行することが可能になる。
【００１０】
従って、多数の原稿を連続して読み取らせる場合において、操作が煩雑になることなく、原稿の向きを変えるといったユーザーの単純な作業で、原稿それぞれに対して、ユーザーの希望する異なる処理を実行することができる。これにより、各原稿について処理を設定する際のユーザーの利便性が向上する。
【図面の簡単な説明】
【００１１】
【図１】本発明の第１実施形態に係る画像読取装置を備えてなる、画像形成装置の主要内部構成を概略的に示した機能ブロック図である。
【図２】（Ａ）、（Ｂ）は、表示部に表示される操作画面の一例を示した図である。
【図３】第１実施形態に係る画像読取装置を備えてなる、画像形成装置における制御ユニットで行われる処理動作の一例を示したフローチャートである。
【図４】第２実施形態に係る画像読取装置を備えてなる、画像形成装置における制御ユニットで行われる処理動作の一例を示したフローチャートである。
【図５】表示部に表示される操作画面の一例を示した図である。
【図６】第３実施形態に係る画像読取装置を備えてなる、画像形成装置の主要内部構成を概略的に示した機能ブロック図である。
【図７】表示部に表示される操作画面の一例を示した図である。
【発明を実施するための形態】
【００１２】
以下、本発明の一実施形態に係る画像読取装置について図面を参照して説明する。図１は、本発明の第１実施形態に係る画像読取装置を備えてなる、画像形成装置の主要内部構成を概略的に示した機能ブロック図である。
【００１３】
画像形成装置１は、例えば、コピー機能、プリンター機能、スキャナー機能、及びファクシミリ機能のような複数の機能を兼ね備えた複合機であり、制御ユニット１０、原稿給送部６、原稿読取部５、画像形成部１２、画像メモリー３２、ＨＤＤ（Hard Disk Drive）９２、定着部１３、給紙部１４、操作部４７、ネットワークインターフェイス部９１、及びサイズセンサー２１を含んで構成されている。
【００１４】
原稿給送部６は、原稿トレイに載置された原稿を原稿読取部５へ給送する。原稿読取部５は、光照射部を使って、原稿給送部６から給送されてくる原稿又は原稿台（プラテンガラス）に載置されている原稿を照射し、その反射光を受光することによって、原稿から画像を読み取る。原稿読取部５による読み取りで得られた画像データは画像メモリー３２等に記憶される。
【００１５】
画像形成部１２は、印刷すべき画像のトナー像を用紙（記録媒体）上に形成する。画像メモリー３２は、原稿読取部５による読み取りで得られた原稿の画像データを一時的に記憶したり、画像形成部１２のプリント対象となるデータを一時的に保存したりするための領域である。
【００１６】
ＨＤＤ９２は、原稿読取部５によって読み取られた画像データ等を記憶する大容量の記憶装置である。定着部１３は、用紙上のトナー像を、熱圧着により用紙に定着させる。給紙部１４は、給紙カセット（図示せず）を備え、給紙カセットに収容された用紙をピックアップして搬送する。
【００１７】
操作部４７は、画像形成装置１が実行可能な各種動作及び処理について操作者から画像形成動作実行指示や原稿読取動作実行指示等の指示を受け付ける。操作部４７は、操作者への操作案内等を表示する表示部４７３を備えている。表示部４７３はタッチパネルになっており、操作者は画面表示されるボタンやキーに触れて画像形成装置１を操作することができる。
【００１８】
ネットワークインターフェイス部９１は、ローカルエリア内、又はインターネット上の電子機器やサーバー等の外部装置２０と種々のデータの送受信を行うものである。
【００１９】
サイズセンサー２１は、原稿を載置する原稿トレイ及び原稿台に配置され、原稿のサイズを検知する。例えば、サイズセンサー２１は、原稿トレイを構成する原稿の幅合わせガイド部材に設けられ、当該ガイド部材の離間距離（すなわち、原稿幅）を検知し、原稿トレイの長手方向に設けられ、原稿長を検知する。また、サイズセンサー２１は、原稿台の周囲に設けられて、原稿台に載置された原稿のサイズを検知する。
【００２０】
制御ユニット１０は、プロセッサー、ＲＡＭ（Random Access Memory）、ＲＯＭ（Read Only Memory）、及び専用のハードウェア回路を含んで構成される。プロセッサーは、例えばＣＰＵ（Central Processing Unit）、ＡＳＩＣ（Application Specific Integrated Circuit）、ＭＰＵ（Micro Processing Unit）等である。制御ユニット１０は、制御部１００と、操作受付部１０１と、原稿向き検知部１０３と、判定部１０４とを備えている。
【００２１】
制御ユニット１０は、ＨＤＤ９２に記憶されている制御プログラムに従った上記プロセッサーによる動作により、制御部１００、操作受付部１０１、原稿向き検知部１０３、及び判定部１０４として機能するものである。但し、制御部１００等は、制御ユニット１０による制御プログラムに従った動作によらず、ハードウェア回路により構成することも可能である。以下、特に触れない限り、各実施形態について同様である。
【００２２】
制御部１００は、画像形成装置１の全体的な動作制御を司る。制御部１００は、原稿給送部６、原稿読取部５、画像形成部１２、画像メモリー３２、ＨＤＤ９２、定着部１３、給紙部１４、操作部４７、ネットワークインターフェイス部９１、及びサイズセンサー２１と接続され、これら各部の駆動制御等を行う。例えば、制御部１００は、原稿読取部５の動作を制御することで、原稿給送部６から給送されてくる原稿又は原稿台に載置されている原稿を原稿読取部５に読み取らせる。
【００２３】
操作受付部１０１は、操作部４７を介したユーザーからの操作入力を受け付ける。また、操作受付部１０１は、設定受付部１０２を備える。
【００２４】
設定受付部１０２は、原稿に対する処理内容の基本設定及び特別設定をユーザーから事前に受け付ける。例えば、設定受付部１０２は、図２（Ａ）に示すような操作画面Ｄ１を表示部４７３に表示させることによって、スキャンの基本設定をユーザーから受け付け可能にする。また、設定受付部１０２は、図２（Ｂ）に示すような操作画面Ｄ２を表示部４７３に表示させることによって、スキャンの特別設定をユーザーから受け付ける。
【００２５】
基本設定は、予め定められた基準向き（例えば、縦長の向き）に載置された原稿に対して用いる設定であり、一方、特別設定は、当該基準向きとは異なる向きに載置された原稿に対して用いる設定である。
【００２６】
操作画面Ｄ１，Ｄ２は、いずれか１つのみの選択が可能なラジオボタンを３種類有している。ラジオボタンＲＡ１〜ＲＡ４は、ファイル形式の設定をユーザーから受け付け、ラジオボタンＲＡ１〜ＲＡ４の横にはそれぞれ「ＰＤＦ」、「ＪＰＥＧ」、「ＴＩＦＦ」、「ＸＰＳ」と記され、設定受付部１０２は、例えば、操作画面Ｄ１上において、ラジオボタンＲＡ１に対する操作を、上記タッチパネルを介して受け付けると、基本設定として、ファイル形式は「ＰＤＦ」であるという内容を記憶する。また、例えば、設定受付部１０２は、操作画面Ｄ２上において、ラジオボタンＲＡ２に対する操作を受け付けると、特別設定として、ファイル形式は「ＪＰＥＧ」であるという内容を記憶する。すなわち、原稿読取部５による原稿読取後の処理の一つをユーザーが任意に設定できるようになっている。
【００２７】
ラジオボタンＲＢ１〜ＲＢ３は、読取解像度の設定をユーザーから受け付けるための画像である。ラジオボタンＲＢ１〜ＲＢ３の横にはそれぞれ「高（600dpi）」、「中（400dpi）」、「低（200dpi）」と記されている。設定受付部１０２は、例えば、操作画面Ｄ１上において、ラジオボタンＲＢ３に対する操作を受け付けると、基本設定として、読取解像度は「低（200dpi）」であるという内容を記憶し、操作画面Ｄ２上において、ラジオボタンＲＢ１に対する操作を、タッチパネルを介して受け付けると、特別設定として、読取解像度は「高（600dpi）」であるという内容を記憶する。すなわち、原稿読取部５による原稿読取時の処理の一つをユーザーが任意に設定できるようになっている。
【００２８】
ラジオボタンＲＣ１，ＲＣ２は、上記タッチパネルにより、データ保存方法の設定をユーザーから受け付けるための画像である。ラジオボタンＲＣ１の横には「モノクロ保存」と記され、ラジオボタンＲＣ２の横には「カラー保存」と記されている。設定受付部１０２は、例えば、操作画面Ｄ１上において、ラジオボタンＲＣ１の操作を受け付けると、基本設定として、「モノクロ保存」という内容を記憶する。また、設定受付部１０２は、例えば、操作画面Ｄ２上において、ラジオボタンＲＣ２の操作を受け付けると、特別設定として「カラー保存」という内容を記憶する。すなわち、原稿読取部５による原稿読取後の処理の一つをユーザーが任意に設定できるようになっている。
【００２９】
原稿向き検知部１０３は、サイズセンサー２１から得られる情報に基づいて、原稿が縦長であるか横長であるかを判別することによって、原稿の向きを検知する。
【００３０】
判定部１０４は、原稿向き検知部１０３により検知された原稿の向きが上記基準向きと一致するか否かを判定する。
【００３１】
次に、第１実施形態に係る画像読取装置を備えてなる、画像形成装置１の制御ユニット１０で行われる処理動作の一例について、図３に示したフローチャートに基づいて説明する。例えば、この処理動作は、操作受付部１０１が、ユーザーからの原稿のスキャン開始要求を受け付けた場合に行われる。また、ここでは、原稿台に多数の原稿が連続して載置される場合（すなわち、原稿が置き換えられる度に、ユーザーによってスキャン開始要求が行われる場合）について説明する。
【００３２】
まず、操作受付部１０１が、ユーザーからの原稿のスキャン開始要求を受け付けると、原稿向き検知部１０３が、原稿の向きを検知し（Ｓ１）、判定部１０４が、原稿向き検知部１０３により検知された原稿の向き（すなわち、原稿読取部５の読取対象となる第１枚目の原稿の向き）を、基準向きに設定する（Ｓ２）。
【００３３】
その後、制御部１００が、設定受付部１０２がユーザーから事前に受け付けている基本設定に従って、原稿読取部５等の動作を制御することで、当該基本設定に基づいた第１処理を実行する（Ｓ３）。例えば、図２（Ａ）に示したように、基本設定として、ファイル形式が「ＰＤＦ」に設定され、読取解像度が「低（200dpi）」に設定され、保存方法が「モノクロ保存」に設定されて設定受付部１０２に記憶されている場合、制御部１００は、原稿読取部５に、読取解像度を200dpiで、なおかつモノクロ画像として原稿を読み取らせ、原稿読取部５による読み取りで得られた画像データをＰＤＦファイルに変換する。そして、制御部１００は、ネットワークインターフェイス部９１を介して、操作受付部１０１が事前に受け付けたユーザー指定の外部装置２０（例えば、パソコン）にＰＤＦファイルに変換したデータを送信する。
【００３４】
続いて、制御部１００が、操作受付部１０１がユーザーからの原稿のスキャン開始要求を受け付けたか否かを判断する（Ｓ４）。すなわち、ユーザーは、原稿読取一枚毎に原稿のスキャン開始要求を操作部４７に入力し、制御部１００は、操作部４７を介して操作受付部１０１にスキャン開始要求が受け付けられる度に、原稿読取部５に原稿を一枚ずつ読み取らせるものとする。
【００３５】
制御部１００が、操作受付部１０１がユーザーからの原稿のスキャン開始要求を受け付けた（すなわち、原稿台に新たな原稿がユーザーによって載置され、当該新たな原稿に対するスキャン開始要求が行われた）と判断した場合（Ｓ４でＹＥＳ）、原稿向き検知部１０３が、原稿の向きを検知し（Ｓ５）、判定部１０４が、原稿向き検知部１０３により検知された原稿の向きが、上記基準向きと一致するか否かを判定する（Ｓ６）。
【００３６】
判定部１０４が、原稿向き検知部１０３により検知された原稿の向きが、上記基準向きと一致すると判定した場合（Ｓ６でＹＥＳ）、制御部１００は、上記Ｓ３と同様に、設定受付部１０２がユーザーから事前に受け付けた基本設定に従って、原稿読取部５等の動作を制御することで、当該基本設定に基づいた第１処理を実行し（Ｓ７）、その後、Ｓ４へ戻る。
【００３７】
一方、判定部１０４が、原稿向き検知部１０３により検知された原稿の向きが、上記基準向きと一致しないと判定した場合（Ｓ６でＮＯ）、制御部１００は、設定受付部１０２がユーザーから事前に受け付けた特別設定に従って、原稿読取部５等の動作を制御することで、当該特別設定に基づいた処理を実行し（Ｓ８）、その後、処理はＳ４へ戻る。なお、当該処理は、特許請求の範囲における第２処理の一例である。
【００３８】
例えば、図２（Ｂ）に示した例でいえば、特別設定として、設定受付部１０２に、ファイル形式が「ＪＰＥＧ」に設定され、読取解像度が「高（600dpi）」に設定され、保存方法が「カラー保存」に設定されている場合、制御部１００は、原稿読取部５に、読取解像度を600dpiで、なおかつカラー画像として原稿を読み取らせ、原稿読取部５による読み取りで得られた画像データをＪＰＥＧファイルに変換する。そして、制御部１００は、ネットワークインターフェイス部９１を介して、操作受付部１０１が事前に受け付けたユーザー指定の外部装置２０（例えば、パソコン）にＪＰＥＧファイルに変換したデータを送信する。
【００３９】
Ｓ４において、制御部１００は、操作受付部１０１がユーザーからの原稿のスキャン開始要求を受け付けていないと判断した場合（Ｓ４でＮＯ）、スキャン処理を終了するタイミングであるか否かを判断する（Ｓ９）。例えば、操作受付部１０１がユーザーからのスキャン終了の指示を受け付けた場合や、操作受付部１０１が予め定められた時間（例えば、数分間）、ユーザー操作を受け付けなかった場合、制御部１００は、スキャン処理を終了するタイミングであると判断する。
【００４０】
制御部１００が、スキャン処理を終了するタイミングであると判断した場合（Ｓ９でＹＥＳ）、この処理動作を終了し、スキャン処理を終了するタイミングでないと判断した場合（Ｓ９でＮＯ）、処理はＳ４へ戻る。
【００４１】
上記第１実施形態によれば、原稿の向きが予め定められた基準向きと一致すると判定された場合、当該原稿に対して、基本設定に基づいた処理が実行され、原稿の向きが基準向きと一致しないと判定された場合、特別設定に基づいた処理が実行される。例えば、基準向きが縦長の向きである場合、基本設定とは異なる特別設定での処理を希望する原稿を、ユーザーは９０度回転させて横長の向きにして載置する。
【００４２】
従って、多数の原稿を連続して読み取らせる場合において、操作が煩雑になることなく、原稿の向きを変えるといったユーザーの単純な作業で、原稿それぞれに対して、ユーザーの希望する異なる処理を実行することができる。これにより、ユーザーの利便性が向上し、延いては、複数のユーザーで共有して使用される機器（例えば、コピー機）の混雑を緩和することができる。
【００４３】
次に、第２実施形態に係る画像読取装置を備えてなる、画像形成装置１の制御ユニット１０で行われる処理動作の一例について、図４に示したフローチャートに基づいて説明する。なお、第２実施形態は、設定受付部１０２が、原稿に対する処理内容の基本設定をユーザーから事前に受け付けるだけでなく、原稿に対する処理内容の個別設定をユーザーから受け付け可能に構成されている点で、第１実施形態と相違する。また、図４に示したフローチャートは、Ｓ１〜Ｓ７，Ｓ９の処理動作は、図３に示したフローチャートと同じであるため説明を省略し、ここではＳ１１〜Ｓ１３についてのみ説明する。
【００４４】
Ｓ６において、判定部１０４が、原稿向き検知部１０３により検知された原稿の向きが、上記基準向きと一致しないと判定した場合（Ｓ６でＮＯ）、設定受付部１０２が、例えば、図５に示すような操作画面Ｄ３を表示部４７３に表示させることによって（Ｓ１１）、スキャンの個別設定をユーザーに促す処理を実行し、当該個別設定をユーザーから受け付け可能な状態にする。なお、当該処理は、特許請求の範囲における第２処理の一例である。
【００４５】
操作画面Ｄ３には、「原稿の向きが基準向き（１枚目の原稿の向き）と一致しておりません。この原稿にだけ用いるスキャン設定を行ってください。」というメッセージＭ１が記されると共に、操作画面Ｄ１，Ｄ２と同様に、３種類のラジオボタンＲＡ１〜ＲＡ４、ラジオボタンＲＢ１〜ＲＢ３、及びラジオボタンＲＣ１，ＲＣ２が形成されている。
【００４６】
続いて、制御部１００は、設定受付部１０２によってユーザーからの個別設定が受け付けられたと判断した場合（Ｓ１２でＹＥＳ）、設定受付部１０２がユーザーから受け付けた個別設定に従って、原稿読取部５等の動作を制御することで、当該個別設定に基づいた処理を実行する（Ｓ１３）。その後、処理はＳ４へ戻る。
【００４７】
当該第２実施形態によれば、原稿の向きが予め定められた基準向きと一致すると判定された場合、当該原稿に対して、基本設定に基づいた処理が実行され、原稿の向きが基準向きと一致しないと判定された場合、当該原稿に対する個別設定がユーザーに促され、当該個別設定が受け付けられる。そして、個別設定に基づいた処理が実行される。例えば、基準向きが縦長の向きである場合、基本設定とは異なる個別設定での処理を希望する原稿を、ユーザーは９０度回転させて横長の向きにして載置すればよい。
【００４８】
従って、上記第１実施形態と同様に、多数の原稿を連続して読み取らせる場合において、操作が煩雑になることなく、原稿の向きを変えるといったユーザーの単純な作業で、原稿それぞれに対して、ユーザーの希望する異なる処理を実行することができる。
【００４９】
また、上記第１及び第２実施形態では、判定部１０４による原稿の向きが基準向きと一致するか否かの判定結果に基づいて、制御部１００が、基本設定に基づいた処理を行ったり、特別設定に基づいた処理を行ったり、個別設定をユーザーに促す処理を行っているが、更に別の実施形態として、例えば、原稿向き検知部１０３が、サイズセンサー２１から得られる情報に基づいて、原稿の向きだけでなく、原稿のサイズを検知するようにし、制御部１００が、当該原稿のサイズに基づいた制御を行うようにしてもよい。
【００５０】
例えば、判定部１０４が、原稿のサイズが基準サイズ（原稿読取部５の読取対象となる第１枚目の原稿のサイズ）と一致し、なおかつ原稿の向きが基準向きと一致すると判定した場合、制御部１００が、基本設定に基づいた処理を行うようにする。また、判定部１０４が、原稿のサイズが基準サイズと一致するが、原稿の向きが基準向きと一致しないと判定した場合、制御部１００は、特別設定に基づいた処理を行い、判定部１０４が上記以外と判定した場合、制御部１００は、個別設定をユーザーに促す処理を行うようにする。
【００５１】
また、上記第１及び第２実施形態では、原稿向き検知部１０３が、原稿が縦長であるか横長であるかを判別することによって、原稿の向きを検知する場合について説明しているが、原稿の向きを検知する方式はこれに限定されない。例えば、後で詳しく説明するが、原稿向き検知部１０３が、原稿に記載された文字の配列方向（書字方向）や、文字の向きを判別することによって、原稿の向きを検知するようにしてもよい。
【００５２】
次に、第３の実施形態に係る画像読取装置を説明する。図６は、第３の実施形態に係る画像読取装置を備えてなる、画像形成装置の主要内部構成を概略的に示した機能ブロック図である。原稿向き検知部１０３は、縦長横長判別部１０５と、文字配列方向判別部１０６と、文字向き判別部１０７とを備え、異なる複数の方式で原稿の向きの検知が可能であり、更には、操作受付部１０１が、選択受付部１０８を備え、その点で、第３実施形態は、上記第１及び第２実施形態と相違する。
【００５３】
縦長横長判別部１０５は、サイズセンサー２１から得られる情報に基づいて、原稿が縦長であるか横長であるかを判別し、それによって、原稿の向きを検知する。
【００５４】
文字配列方向判別部１０６は、原稿読取部５による読み取りで得られた画像データに基づいて、原稿の水平方向と垂直方向それぞれに対し、画素（黒点）の並びを検出し、黒点の並ばない空白数の多い方を行方向（文字の配列方向）と判別し、それによって、原稿の向きを検知する。
【００５５】
文字向き判別部１０７は、原稿読取部５による読み取りで得られた画像データに基づいて、原稿画像の一部領域に対して、ＯＣＲ（Optical Character Recognition）処理を施し、文字の向きを判別し、それによって、原稿の向きを検知する。
【００５６】
選択受付部１０８は、例えば、図７に示すような操作画面Ｄ４を表示部に表示させる。これにより、原稿の向きの検知に使用する方式の選択をユーザーから受け付け可能な状態となる。操作画面Ｄ４は、いずれか１つのみの選択が可能なラジオボタンＲＤ１〜ＲＤ３を有している。ラジオボタンＲＤ１〜ＲＤ３の横にはそれぞれ「縦長、横長から原稿の向きを検知する」、「文字の配列方向から原稿の向きを検知する」、「文字の向きから原稿の向きを検知する」と記されている。
【００５７】
選択受付部１０８が、ラジオボタンＲＤ１に対する操作を受け付けると、縦長横長判別部１０５が、原稿の向き（原稿が縦長であるか横長であるか）を検知する。また、選択受付部１０８が、ラジオボタンＲＤ２に対する操作を受け付けると、文字配列方向判別部１０６が、原稿の向き（文字の配列方向）を検知し、選択受付部１０８が、ラジオボタンＲＤ３に対する操作を受け付けると、文字向き判別部１０７が、原稿の向き（文字の向き）を検知する。
【００５８】
ところで、縦長横長判別部１０５は、サイズセンサー２１から得られる情報に基づいて、原稿の向きを検知するが、文字配列方向判別部１０６及び文字向き判別部１０７は、原稿読取部５による読み取りで得られた画像データに基づいて、原稿の向きを検知するので、原稿の向きが検知されるのは、原稿読取部５による原稿読取の前ではなく、原稿読取部５による原稿読取の後になる。
【００５９】
そこで、選択受付部１０８が、ラジオボタンＲＤ２，ＲＤ３に対する操作を受け付けた場合には、設定受付部１０２が、原稿読取部５による原稿読取時の処理に関する特別設定及び個別設定（例えば、読取解像度の設定）を受け付けないようにする。例えば、図２（Ｂ）に示した操作画面Ｄ２や、図５に示した操作画面Ｄ３において、読取解像度を設定するための領域を半透明表示又はグレイアウトにすると共に、読取解像度に対するユーザー設定を受け付けないようにする。
【００６０】
当該第３実施形態によれば、原稿の向きの検知に使用する方式をユーザーが任意に選択することができるので、使用勝手のよいものにすることができる。文字の配列方向や文字の向きの判別には、原稿の縦長や横長の判別よりも、処理時間が長くなり、消費電力量も多くなると考えられるが、例えば、色々なサイズの原稿が混在し、縦長や横長の判断にユーザーが困るような原稿が存在する場合、文字の配列方向や文字の向きの判別による原稿向きの検知は有効である。
【００６１】
また、上記第１乃至第３実施形態では、判定部１０４が、原稿読取部５の読取対象となる第１枚目の原稿の向きを、基準向きに設定する場合について説明しているが、別の実施形態では、当該基準向きについては、メーカーが事前に登録しておいてもよいし、操作受付部１０１が、ユーザーによる事前登録を受け付けるようにしてもよい。
【００６２】
また、ここまで原稿台（プラテンガラス）に載置された原稿の片面読取の場合を例に挙げて説明しているが、原稿トレイに載置された原稿の片面読取の場合についても上記と同様の構成及び処理によって、上記と同様の効果を得ることができる。
【００６３】
次に、原稿トレイに載置された原稿の両面読取について説明する。両面読取の場合、原稿の両面共に基本設定での処理をユーザーが希望したり、原稿の両面共に特別設定（個別設定）での処理をユーザーが希望したりするとは限らず、一方の面については基本設定での処理をユーザーが希望し、他方の面については特別設定（個別設定）での処理をユーザーが希望する場合もあると考えられる。
【００６４】
そこで、更なる別の実施形態として、複数方向の基準向き（例えば、第１基準向き、第２基準向き）を事前に登録しておき、３方向以上の判別が可能な文字配列方向判別部１０６又は文字向き判別部１０７を用いて、原稿向き検知部１０３が、原稿の向きを検知し、判定部１０４が、原稿向き検知部１０３により検知された原稿の向きと各基準向きとの一致を判定し、制御部１００が、判定部１０４による判定結果に基づいた処理を行うようにしてもよい。
【００６５】
例えば、第１基準向きとして奥天、第２基準向きとして左天が登録され、原稿向き検知部１０３が、原稿の向きを検知し、判定部１０４が、原稿の向きが第１基準向きと一致すると判定した場合、制御部１００が、両面共に基本設定での処理を行う。また、判定部１０４が、原稿の向きが第２基準向きと一致すると判定した場合、制御部１００が、両面共に特別設定での処理を行い、判定部１０４が、原稿の向きが第１基準向き及び第２基準向きのいずれとも一致しないと判定した場合、制御部１００が、個別設定をユーザーに促す処理を行うようにする。
【００６６】
また、本発明は上記実施の形態の構成に限られず種々の変形が可能である。また、上記実施形態では、本発明に係る画像読取装置の一実施形態として複合機を用いて説明しているが、これは一例に過ぎず、例えば、コピー機能、ファクシミリ機能、スキャナー機能等を有した他の画像読取装置でもよい。
【００６７】
また、上記実施形態では、図１乃至図７を用いて上記実施形態により示した構成及び処理は、本発明の一実施形態に過ぎず、本発明を当該構成及び処理に限定する趣旨ではない。
【符号の説明】
【００６８】
１        画像形成装置
５        原稿読取部
１００    制御部
１０２    設定受付部
１０３    原稿向き検知部
１０４    判定部
１０８    選択受付部
【図１】
2019009690.tif 000003
【図２】
2019009690.tif 000004
【図３】
2019009690.tif 000005
【図４】
2019009690.tif 000006
【図５】
2019009690.tif 000007
【図６】
2019009690.tif 000008
【図７】
2019009690.tif 000009